(57)【特許請求の範囲】
【請求項１】
インダクタを含む共振回路及び無線ＩＣチップを含む無線ＩＣタグであって、前記共振回路は、前記無線ＩＣチップに電気的に接続され、かつ、所定の共振周波数を有しており、前記インダクタは、中心軸線の周囲を１周より多く周回するスパイラル形状又はヘリックス形状を有する、前記無線ＩＣタグと、
金属部分を含んでいる医療用金属製器具であって、中心軸線の周囲を１周より多く周回するスパイラル形状又はヘリックス形状を有する前記インダクタを含む前記共振回路を含む前記無線ＩＣタグが前記医療用金属製器具の前記金属部分に固定されることで、前記共振回路と前記医療用金属製器具の前記金属部分とが電界結合、磁界結合又は電磁界結合して、前記医療用金属製器具の前記金属部分が（Ａ）及び／又は（Ｂ）を行い、（Ａ）前記医療用金属製器具の前記金属部分は、前記所定の共振周波数と等しい周波数を有し、かつ、前記共振回路から供給される送信信号を電磁波として放射する、（Ｂ）前記医療用金属製器具の前記金属部分は、前記所定の共振周波数と等しい周波数を有する受信信号を電磁波として受信し、かつ、前記共振回路に前記受信信号を供給する、前記医療用金属製器具と、
を備え、
前記共振回路は、前記金属部分と電気的に導通していない、
無線ＩＣタグ付き医療用金属製器具。
【請求項２】
前記医療用金属製器具は、日本医療機器名称におけるクラスＩに属する一般医療機器である、
請求項１に記載の無線ＩＣタグ付き医療用金属製器具。
【請求項３】
前記医療用金属製器具は、鋼製小物である、
請求項１又は請求項２のいずれかに記載の無線ＩＣタグ付き医療用金属製器具。
【請求項４】
前記無線ＩＣタグ付き医療用金属製器具は、
前記無線ＩＣタグが露出しないように、前記無線ＩＣタグを覆う樹脂部を、
更に備えている、
請求項１ないし請求項３のいずれかに記載の無線ＩＣタグ付き医療用金属製器具。
【請求項５】
前記インダクタは、中心軸線の周囲を２周以上にわたり周回するスパイラル形状又はヘリックス形状を有する、
請求項１ないし請求項４のいずれかに記載の無線ＩＣタグ付き医療用金属製器具。
【請求項６】
前記無線ＩＣタグは、前記医療用金属製器具の前記金属部分に樹脂接着剤により固定されている、
請求項１ないし請求項５のいずれかに記載の無線ＩＣタグ付き医療用金属製器具。
【請求項７】
前記無線ＩＣタグは、前記医療用金属製器具の前記金属部分に溶接により固定されている、
請求項１ないし請求項５のいずれかに記載の無線ＩＣタグ付き医療用金属製器具。
【請求項８】
前記所定の共振周波数は、ＵＨＦ（Ｕｌｔｒａ  Ｈｉｇｈ  Ｆｒｅｑｕｅｎｃｙ）周波数帯域に属する、
請求項１ないし請求項７のいずれかに記載の無線ＩＣタグ付き医療用金属製器具。
【請求項９】
前記無線ＩＣタグ付き医療用金属製器具は、電磁波を介して、リーダライタと通信する、
請求項１ないし請求項８のいずれかに記載の無線ＩＣタグ付き医療用金属製器具。
【発明の詳細な説明】
【技術分野】
【０００１】
本発明は、無線ＩＣタグ及び医療用金属製器具を備える無線ＩＣタグ付き医療用金属製器具に関する。
【背景技術】
【０００２】
従来の無線ＩＣタグに関する発明としては、例えば、特許文献１に記載の無線ＩＣデバイスが知られている。この無線ＩＣデバイスは、無線ＩＣチップ、共振回路及びアンテナを備えている。共振回路は、無線ＩＣチップに接続されている。共振回路は、所定の共振周波数を有している。アンテナは、共振回路から供給された送信信号を送信する、及び／又は、受信信号を受けて共振回路に供給する。このような無線ＩＣデバイスの分野では、通信距離を長くするために、種々の工夫が提案されている。
【先行技術文献】
【特許文献】
【０００３】
【特許文献１】特許第４０６９９５８号公報
【発明の概要】
【発明が解決しようとする課題】
【０００４】
医療用金属製器具の分野において、特許文献１に記載の無線ＩＣデバイスを利用することが提案されている。具体的には、医療用金属製器具に無線ＩＣタグを取り付けて、無線ＩＣデバイスとして利用することが提案されている。この場合、医療用金属製器具は、アンテナとして機能する。これにより、医療用金属製器具の管理が容易となる。【０００５】
ここで、多くの種類の医療用金属製器具が存在する。また、多くの種類の医療用金属製器具は、多くの種類の使用環境下で使用される。よって、医療用金属製器具の使用環境に適した取り付け方法で、無線ＩＣタグを医療用金属製器具に取り付けることが要求される。【０００６】
そこで、本発明の目的は、無線ＩＣタグの取り付け方法の自由度を向上させることができる無線ＩＣタグ付き医療用金属製器具を提供することである。
【課題を解決するための手段】
【０００７】
本願発明者は、医療用金属製器具への無線ＩＣタグの取り付け方法の自由度を向上させることについて検討した。検討の結果、本願発明者は、無線ＩＣタグの取り付け方法が変わると、無線ＩＣタグの共振回路の共振周波数が変動することに気が付いた。例えば、溶接により無線ＩＣタグが医療用金属製器具に取り付けられる場合がある。この場合、取り付け金具が用いられる。そのため、取り付け金具と共振回路との間に容量が発生したり、取り付け金具が磁束を妨げたりすることにより、共振回路の共振周波数が変動する。また、無線ＩＣタグが樹脂により覆われる場合がある。この場合、無線ＩＣタグの周囲の誘電率が変動し、共振回路の共振周波数が変動する。このように共振回路の共振周波数が変動する場合には、無線ＩＣタグ付き医療用金属製器具の通信帯域が広いことが好ましい。これにより、無線ＩＣタグ付き医療用金属製器具は、共振回路の共振周波数から少しずれた周波数を有する高周波信号を送受信できる。【０００８】
しかしながら、無線ＩＣタグ付き医療用金属製器具の通信帯域を広くすることと無線ＩＣタグ付き医療用金属製器具の通信距離を長くすることとは、トレードオフの関係にある。具体的には、無線ＩＣタグ付き医療用金属製器具の通信帯域を広くするためには、共振回路のＱ値を小さくすればよい。しかしながら、共振回路のＱ値が小さくなると、無線ＩＣタグ付き医療用金属製器具の通信距離が短くなる。前記の通り、無線ＩＣデバイスの分野では、無線ＩＣタグ付き医療用金属製器具の通信距離を長くすることが主要な課題である。そのため、当業者は、無線ＩＣタグ付き医療用金属製器具の通信帯域が広くなったとしても、共振回路のＱ値を小さくすることを躊躇する。【０００９】
そこで、本願発明者は、無線ＩＣタグ付き医療用金属製器具の使用状況を検討した。無線ＩＣタグ付き医療用金属製器具は、例えば、トレイに並べて配置される。そして、オペレータは、リーダライタをトレイの上に位置させて、リーダライタと無線ＩＣタグ付き医療用金属製器具とを通信させる。そのため、本願発明者は、リーダライタと無線ＩＣタグ付き医療用金属製器具との距離が比較的に短いことに気が付いた。そこで、本願発明者は、無線ＩＣタグ付き医療用金属製器具の通信距離を長くすることよりも、無線ＩＣタグ付き医療用金属製器具の通信帯域を広くすることを優先してもよいことに思い至った。【００１０】
本発明は、上述した課題を解決するために、以下の構成を採用する。【００１１】
（１）の無線ＩＣタグ付き医療用金属製器具は、
インダクタを含む共振回路及び無線ＩＣチップを含む無線ＩＣタグであって、前記共振回路は、前記無線ＩＣチップに電気的に接続され、かつ、所定の共振周波数を有しており、前記インダクタは、中心軸線の周囲を１周より多く周回するスパイラル形状又はヘリックス形状を有する、前記無線ＩＣタグと、
金属部分を含んでいる医療用金属製器具であって、中心軸線の周囲を１周より多く周回するスパイラル形状又はヘリックス形状を有する前記インダクタを含む前記共振回路を含む前記無線ＩＣタグが前記医療用金属製器具の前記金属部分に固定されることで、前記共振回路と前記医療用金属製器具の前記金属部分とが電界結合、磁界結合又は電磁界結合して、前記医療用金属製器具の前記金属部分が（Ａ）及び／又は（Ｂ）を行い、（Ａ）前記医療用金属製器具の前記金属部分は、前記所定の共振周波数と等しい周波数を有し、かつ、前記共振回路から供給される送信信号を電磁波として放射する、（Ｂ）前記医療用金属製器具の前記金属部分は、前記所定の共振周波数と等しい周波数を有する受信信号を電磁波として受信し、かつ、前記共振回路に前記受信信号を供給する、前記医療用金属製器具と、
を備える。【００１２】
（１）の無線ＩＣタグ付き医療用金属製器具によれば、無線ＩＣタグの取り付け方法の自由度を向上させることができる。より詳細には、（１）の無線ＩＣタグ付き医療用金属製器具では、中心軸線の周囲を１周より多く周回するスパイラル形状又はヘリックス形状を有するインダクタを含む共振回路を含む無線ＩＣタグが医療用金属製器具の金属部分に固定されることで、共振回路と医療用金属製器具の金属部分とが電界結合、磁界結合又は電磁界結合している。すなわち、（１）の無線ＩＣタグ付き医療用金属製器具では、インダクタのインダクタンス値が大きい。インダクタのインダクタンス値が大きくなると、共振回路のＱ値が小さくなる。従って、（１）の無線ＩＣタグ付き医療用金属製器具の通信帯域が広くなる。これにより、（１）の無線ＩＣタグ付き医療用金属製器具は、共振回路の共振周波数から少しずれた周波数を有する高周波信号を送受信できる。無線ＩＣタグの取り付け方法が変わることにより無線ＩＣタグの共振回路の共振周波数が変動しても、（１）の無線ＩＣタグ付き医療用金属製器具は、高周波信号を送信できる、及び／又は、高周波信号を受信できる。以上より、（１）の無線ＩＣタグ付き医療用金属製器具によれば、無線ＩＣタグの取り付け方法の自由度を向上させることができる。【００１３】
（２）の無線ＩＣタグ付き医療用金属製器具は、（１）の無線ＩＣタグ付き医療用金属製器具であって、
前記医療用金属製器具は、日本医療機器名称におけるクラスＩに属する一般医療機器である。【００１４】
日本医療機器名称におけるクラスＩに属する一般医療機器に無線ＩＣタグを付すことが推奨されている。そこで、（２）の無線ＩＣタグ付き医療用金属製器具では、医療用金属製器具は、日本医療機器名称におけるクラスＩに属する一般医療機器である。【００１５】
（３）の無線ＩＣタグ付き医療用金属製器具は、（１）又は（２）のいずれかの無線ＩＣタグ付き医療用金属製器具であって、
前記医療用金属製器具は、鋼製小物である。【００１６】
鋼製小物に無線ＩＣタグを付すことが推奨されている。そこで、（３）の無線ＩＣタグ付き医療用金属製器具では、医療用金属製器具は、鋼製小物である。【００１７】
（４）の無線ＩＣタグ付き医療用金属製器具は、（１）ないし（３）のいずれかの無線ＩＣタグ付き医療用金属製器具であって、
前記無線ＩＣタグ付き医療用金属製器具は、
前記無線ＩＣタグが露出しないように、前記無線ＩＣタグを覆う樹脂部を、
更に備えている。【００１８】
（４）の無線ＩＣタグ付き医療用金属製器具は、無線ＩＣタグが樹脂部に覆われている。そのため、無線ＩＣタグが樹脂部により保護される。【００１９】
（５）の無線ＩＣタグ付き医療用金属製器具は、（１）ないし（４）のいずれかの無線ＩＣタグ付き医療用金属製器具であって、
前記インダクタは、中心軸線の周囲を２周以上にわたり周回するスパイラル形状又はヘリックス形状を有する。【００２０】
（５）の無線ＩＣタグ付き医療用金属製器具によれば、インダクタのインダクタンス値がより大きくなる。その結果、共振回路のＱ値がより小さくなり、（５）の無線ＩＣタグ付き医療用金属製器具の通信帯域がより広くなる。【００２１】
（６）の無線ＩＣタグ付き医療用金属製器具は、（１）ないし（５）のいずれかの無線ＩＣタグ付き医療用金属製器具であって、
前記無線ＩＣタグは、前記医療用金属製器具の前記金属部分に樹脂接着剤により固定されている。【００２２】
（６）の無線ＩＣタグ付き医療用金属製器具によれば、無線ＩＣタグが医療用金属製器具の金属部分に樹脂接着剤により固定されているので、無線ＩＣタグを金属部分に固定する固定部材等が不要である。そのため、無線ＩＣタグの金属部分への固定が容易になる。【００２３】
（７）の無線ＩＣタグ付き医療用金属製器具は、（１）ないし（５）のいずれかの無線ＩＣタグ付き医療用金属製器具であって、
前記無線ＩＣタグは、前記医療用金属製器具の前記金属部分に溶接により固定されている。【００２４】
（７）の無線ＩＣタグ付き医療用金属製器具によれば、無線ＩＣタグは、医療用金属製器具の金属部分に溶接により固定されているので、温度変化などの環境変化により、無線ＩＣタグが金属部分から外れることが低減される。【００２５】
（８）の無線ＩＣタグ付き医療用金属製器具は、（１）ないし（７）のいずれかの無線ＩＣタグ付き医療用金属製器具であって、
前記所定の共振周波数は、ＵＨＦ（Ｕｌｔｒａ  Ｈｉｇｈ  Ｆｒｅｑｕｅｎｃｙ）周波数帯域に属する。【００２６】
（９）の無線ＩＣタグ付き医療用金属製器具は、（１）ないし（８）のいずれかの無線ＩＣタグ付き医療用金属製器具であって、
前記無線ＩＣタグ付き医療用金属製器具は、電磁波を介して、リーダライタと通信する。【００２７】
この発明の上述の目的及びその他の目的、特徴、局面及び利点は、添付図面に関連して行われる以下のこの発明の実施形態の詳細な説明から一層明らかとなろう。【００２８】
本明細書にて使用される場合、用語「及び／又は（ａｎｄ／ｏｒ）」は１つの、又は複数の関連した列挙されたアイテム（ｉｔｅｍｓ）のあらゆる又は全ての組み合わせを含む。【００２９】
本明細書中で使用される場合、用語「含む、備える（ｉｎｃｌｕｄｉｎｇ）」、「含む、備える（ｃｏｍｐｒｉｓｉｎｇ）」又は「有する（ｈａｖｉｎｇ）」及びその変形の使用は、記載された特徴、工程、操作、要素、成分及び／又はそれらの等価物の存在を特定するが、ステップ、動作、要素、コンポーネント、及び／又は、それらのグループのうちの１つ又は複数を含むことができる。【００３０】
他に定義されない限り、本明細書で使用される全ての用語（技術用語及び科学用語を含む）は、本発明が属する当業者によって一般的に理解されるのと同じ意味を有する。【００３１】
一般的に使用される辞書に定義された用語のような用語は、関連する技術及び本開示の文脈における意味と一致する意味を有すると解釈されるべきであり、本明細書で明示的に定義されていない限り、理想的又は過度に形式的な意味で解釈されることはない。【００３２】
本発明の説明においては、技術及び工程の数が開示されていると理解される。これらの各々は個別の利益を有し、それぞれは、他の開示された技術の１つ以上、又は、場合によっては全てと共に使用することもできる。従って、明確にするために、この説明は、不要に個々のステップの可能な組み合わせの全てを繰り返すことを控える。それにもかかわらず、明細書及び特許請求の範囲は、そのような組み合わせが全て本発明及び特許請求の範囲内にあることを理解して読まれるべきである。【００３３】
以下の説明では、説明の目的で、本発明の完全な理解を提供するために多数の具体的な詳細を述べる。しかしながら、当業者には、これらの特定の詳細なしに本発明を実施できることが明らかである。本開示は、本発明の例示として考慮されるべきであり、本発明を以下の図面又は説明によって示される特定の実施形態に限定することを意図するものではない。
【発明の効果】
【００３４】
本発明によれば、無線ＩＣタグの取り付け方法の自由度を向上させることができる。
【図面の簡単な説明】
【００３５】
【図１】図１は、本発明の一実施形態に係る無線ＩＣタグ付き医療用金属製器具１０の構成図である。
【図２】図２は、第１の実施例に係る無線ＩＣタグ付き医療用金属製器具１０ａの外観斜視図である。
【図３】図３は、図２のＢ−Ｂにおける断面図である。
【図４】図４は、無線ＩＣタグ１４の透視図である。
【図５】図５は、無線ＩＣタグ１４の等価回路図である。
【図６】図６は、第２の実施例に係る無線ＩＣタグ付き医療用金属製器具１０ｂの無線ＩＣタグ１４の外観斜視図である。
【発明を実施するための形態】
【００３６】
（実施形態）
［無線ＩＣタグ付き医療用金属製器具の構成］
以下に、本発明の一実施形態に係る無線ＩＣタグ付き医療用金属製器具１０について図１を参照しながら説明する。図１は、本発明の一実施形態に係る無線ＩＣタグ付き医療用金属製器具１０の構成図である。図１では、無線ＩＣタグ付き医療用金属製器具１０のブロック図及び無線ＩＣタグ１４のブロック図を示した。
【００３７】
本明細書において、前後方向に延びる軸や部材は、必ずしも前後方向と平行である軸や部材だけを示すものではない。前後方向に延びる軸や部材とは、前後方向に対して±４５°の範囲で傾斜している軸や部材のことである。同様に、上下方向に延びる軸や部材とは、上下方向に対して±４５°の範囲で傾斜している軸や部材のことである。左右方向に延びる軸や部材とは、左右方向に対して±４５°の範囲で傾斜している軸や部材のことである。
【００３８】
本明細書において、第１部材が第２部材に支持されているとは、第１部材が第２部材に対して移動不可能に第２部材に取り付けられている（すなわち、固定されている）場合、及び、第１部材が第２部材に対して移動可能に第２部材に取り付けられている場合を含む。また、第１部材が第２部材に支持されているとは、第１部材が第２部材に直接に取り付けられている場合、及び、第１部材が第３部材を介して第２部材に取り付けられている場合の両方を含む。なお、第１部材、第２部材及び第３部材は、無線ＩＣタグ付き医療用金属製器具１０が含む構成である。
【００３９】
本明細書において、前後方向に並ぶ第１部材及び第２部材とは、以下の状態を示す。前後方向に垂直な方向に第１部材及び第２部材を見たときに、第１部材及び第２部材の両方が前後方向を示す任意の直線上に配置されている状態である。本明細書において、上下方向に見たときに前後方向に並ぶ第１部材及び第２部材とは、以下の状態を示す。上下方向に第１部材及び第２部材を見たときに、第１部材及び第２部材の両方が前後方向を示す任意の直線上に配置されている。この場合、上下方向とは異なる左右方向から第１部材及び第２部材を見ると、第１部材及び第２部材のいずれか一方が前後方向を示す任意の直線上に配置されていなくてもよい。なお、第１部材と第２部材とが接触していてもよい。第１部材と第２部材とが離れていてもよい。第１部材と第２部材との間に第３部材が存在していてもよい。この定義は、前後方向以外の方向にも適用される。
【００４０】
本明細書において、第１部材が第２部材の前に配置されるとは、以下の状態を指す。第１部材の少なくとも一部は、第２部材が前方向に平行移動するときに通過する領域内に配置されている。よって、第１部材は、第２部材が前方向に平行移動するときに通過する領域内に収まっていてもよいし、第２部材が前方向に平行移動するときに通過する領域から突出していてもよい。この場合、第１部材及び第２部材は、前後方向に並んでいる。この定義は、前後方向以外の方向にも適用される。
【００４１】
本明細書において、左右方向に見たときに、第１部材が第２部材の前に配置されるとは、以下の状態を指す。左右方向に見たときに、第１部材と第２部材が前後方向に並んでおり、かつ、左右方向に見たときに、第１部材の第２部材と対向する部分が、第２部材の前に配置される。この定義において、第１部材と第２部材は、３次元では、前後方向に並んでいなくてもよい。この定義は、前後方向以外の方向も適用される。
【００４２】
本明細書において、第１部材が第２部材より前に配置されるとは、以下の状態を指す。
【００４３】
第１部材は、第２部材の前端を通り前後方向に直交する平面の前に配置される。この場合、第１部材及び第２部材は、前後方向に並んでいてもよく、並んでいなくてもよい。この定義は、前後方向以外の方向にも適用される。
【００４４】
本明細書において、特に断りのない場合には、第１部材の各部について以下のように定義する。第１部材の前部とは、第１部材の前半分を意味する。第１部材の後部とは、第１部材の後半分を意味する。第１部材の左部とは、第１部材の左半分を意味する。第１部材の右部とは、第１部材の右半分を意味する。第１部材の上部とは、第１部材の上半分を意味する。第１部材の下部とは、第１部材の下半分を意味する。第１部材の前端とは、第１部材の前方向の端を意味する。第１部材の後端とは、第１部材の後方向の端を意味する。第１部材の左端とは、第１部材の左方向の端を意味する。第１部材の右端とは、第１部材の右方向の端を意味する。第１部材の上端とは、第１部材の上方向の端を意味する。第１部材の下端とは、第１部材の下方向の端を意味する。第１部材の前端部とは、第１部材の前端及びその近傍を意味する。第１部材の後端部とは、第１部材の後端及びその近傍を意味する。第１部材の左端部とは、第１部材の左端及びその近傍を意味する。第１部材の右端部とは、第１部材の右端及びその近傍を意味する。第１部材の上端部とは、第１部材の上端及びその近傍を意味する。第１部材の下端部とは、第１部材の下端及びその近傍を意味する。
【００４５】
無線ＩＣタグ付き医療用金属製器具１０は、医療用金属製器具１２及び無線ＩＣタグ１４を備えている。なお、無線ＩＣタグ付き医療用金属製器具１０は、医療用金属製器具１２及び無線ＩＣタグ１４以外の構成を更に備えていてもよい。
【００４６】
無線ＩＣタグ１４は、無線ＩＣチップ１８及び共振回路２０を含んでいる。なお、無線ＩＣタグ１４は、無線ＩＣチップ１８及び共振回路２０以外の構成を更に含んでいてもよい。
【００４７】
共振回路２０は、無線ＩＣチップ１８に電気的に接続されている。共振回路２０は、インダクタＬを含んでいる。インダクタＬは、中心軸線Ａｘの周囲を１周より多く周回するスパイラル形状又はヘリックス形状を有する。スパイラル形状は、平面上において中心軸線Ａｘの周囲を周回する形状である。故に、スパイラル形状は、２次元形状である。へリックス形状は、中心軸線Ａｘに沿って進みながら、中心軸線Ａｘの周囲を周回する形状である。故に、へリックス形状は、３次元形状である。スパイラル形状及びヘリックス形状は、角を有さない連続して変形する形状を有していてもよいし、角ばった形状を有していてもよい。インダクタＬがヘリックス形状を有する場合、インダクタＬの半径は、一定であってもよいし、一定でなくてもよい。なお、インダクタＬは、中心軸線Ａｘの周囲を２周以上にわたり周回するスパイラル形状又はヘリックス形状を有していてもよい。
【００４８】
共振回路２０は、所定の共振周波数ｆ０を有している。共振回路２０は、例えば、コンデンサ及びインダクタＬを含むＬＣ共振回路である。ＬＣ共振回路は、コンデンサ及びインダクタＬが並列接続されたＬＣ並列共振回路、又は、コンデンサ及びインダクタＬが直列接続されたＬＣ直列共振回路である。共振周波数ｆ０は、コンデンサの容量値及びインダクタＬのインダクタンス値により定まる。共振周波数ｆ０と等しい周波数を有する高周波信号がＬＣ並列共振回路に入力すると、ＬＣ並列共振回路のインピーダンスが最大となる。共振周波数ｆ０と等しい周波数を有する高周波信号がＬＣ直列共振回路に入力すると、ＬＣ直列共振回路のインピーダンスが最小となる。
【００４９】
共振周波数ｆ０は、例えば、ＵＨＦ（Ｕｌｔｒａ  Ｈｉｇｈ  Ｆｒｅｑｕｅｎｃｙ）周波数帯域に属する。ＵＨＦ周波数帯域は、３００ＭＨｚ以上３ＧＨｚ以下の周波数が属する帯域である。
【００５０】
日本医療機器名称におけるクラスＩに属する一般医療機器に無線ＩＣタグ１４を付すことが推奨されている。そこで、医療用金属製器具１２は、例えば、日本医療機器名称におけるクラスＩに属する一般医療機器である。また、鋼製小物に無線ＩＣタグ１４を付すことが推奨されている。そこで、医療用金属製器具１２は、例えば、鋼製小物である。鋼製小物は、例えば、開口器、開創器、鉗子、起子、剥離子、持針器、メス、剪刃、のみ、鋭匙、ピンセット、のこぎり、やすり、鈎である。
【００５１】
医療用金属製器具１２は、金属部分１６を含んでいる。医療用金属製器具１２は、金属部分１６のみを含んでいてもよい。また、医療用金属製器具１２は、金属部分１６以外の構成を含んでいてもよい。従って、医療用金属製器具１２は、例えば、樹脂部分やゴム部分等を含んでいてもよい。
【００５２】
金属部分１６は、金属により作製されていればよい。従って、金属部分１６は、例えば、鋼により作製されていてもよいし、鉄により作製されていてもよいし、銅により作製されていてもよいし、その他の金属や合金により作製されていてもよい。
【００５３】
無線ＩＣタグ１４が医療用金属製器具１２の金属部分１６に固定されることで、共振回路２０と医療用金属製器具１２の金属部分１６とが電界結合、磁界結合又は電磁界結合して、医療用金属製器具１２の金属部分１６が後述する（Ａ）及び／又は（Ｂ）を行う。無線ＩＣタグ１４は、例えば、医療用金属製器具１２の金属部分１６に樹脂接着剤により固定されてもよい。また、無線ＩＣタグ１４は、例えば、医療用金属製器具１２の金属部分１６に溶接により固定されてもよい。
【００５４】
また、共振回路２０と金属部分１６とが電界結合するとは、例えば、共振回路２０から金属部分１６に送信信号が電界により供給されること、及び／又は、金属部分１６から共振回路２０に受信信号が電界により供給されることを意味する。共振回路２０と金属部分１６とが磁界結合するとは、例えば、共振回路２０から金属部分１６に送信信号が磁界により供給されること、及び／又は、金属部分１６から共振回路２０に受信信号が磁界により供給されることを意味する。共振回路２０と金属部分１６とが電磁界結合するとは、例えば、共振回路２０から金属部分１６に送信信号が電磁界により供給されること、及び／又は、金属部分１６から共振回路２０に受信信号が電磁界により供給されることを意味する。
【００５５】
（Ａ）医療用金属製器具１２の金属部分１６は、共振周波数ｆ０と等しい周波数を有し、かつ、共振回路２０から供給される送信信号を電磁波として放射する。  
より詳細には、無線ＩＣチップ１８は、共振周波数ｆ０と等しい周波数を有する搬送波を送信データで変調した送信信号を生成する。共振回路２０は、無線ＩＣチップ１８から供給される送信信号により共振する。共振回路２０は、共振周波数ｆ０と等しい周波数を有する送信信号を金属部分１６に供給する。このとき、共振回路２０が金属部分１６に供給する共振周波数ｆ０以外の周波数を有する信号の強度は、共振回路２０が金属部分１６に供給する共振周波数ｆ０と等しい周波数を有する送信信号の強度に比べて低い。金属部分１６は、共振回路２０から供給された送信信号を電磁波として放射する。すなわち、金属部分１６は、電磁波を放射するアンテナとして機能する。このとき、金属部分１６は、金属部分１６の全体から電磁波を放射する。図示しないリーダライタは、この電磁波を受信することにより、送信信号を受信する。本明細書において、共振周波数ｆ０と等しい周波数を有する送信信号とは、送信信号の周波数が共振周波数ｆ０と完全一致する場合、及び、送信信号の周波数が共振周波数ｆ０から僅かにずれた周波数である場合を含む。共振周波数ｆ０から僅かにずれたとは、例えば、数十ＭＨｚ程度ずれたことを意味する。
【００５６】
（Ｂ）医療用金属製器具１２の金属部分１６は、共振周波数ｆ０と等しい周波数を有する受信信号を電磁波として受信し、かつ、共振回路２０に受信信号を供給する。  
より詳細には、リーダライタは、共振周波数ｆ０と等しい周波数を有する搬送波を受信データで変調した受信信号を電磁波として放射する。金属部分１６は、共振周波数ｆ０と等しい周波数を有する搬送波を受信データで変調した受信信号を電磁波として受信する。すなわち、金属部分１６は、電磁波を受信するアンテナとして機能する。金属部分１６は、共振周波数ｆ０と等しい周波数を有する受信信号を共振回路２０に供給する。このとき、金属部分１６が共振回路２０に供給する共振周波数ｆ０以外の周波数を有する信号の強度は、金属部分１６が共振回路２０に供給する共振周波数ｆ０と等しい周波数を有する受信信号の強度に比べて低い。共振回路２０は、金属部分１６から供給される受信信号により共振する。共振回路２０は、共振周波数ｆ０と等しい周波数を有する受信信号を無線ＩＣチップ１８に供給する。無線ＩＣチップ１８は、受信信号を復調して受信データを取得する。本明細書において、共振周波数ｆ０と等しい周波数を有する受信信号とは、受信信号の周波数が共振周波数ｆ０と完全一致する場合、及び、受信信号の周波数が共振周波数ｆ０から僅かにずれた周波数である場合を含む。共振周波数ｆ０から僅かにずれたとは、例えば、数十ＭＨｚ程度のずれである。
【００５７】
なお、無線ＩＣタグ付き医療用金属製器具１０は、例えば、リーダライタから送信されてくる受信信号を受信すると共に、この受信信号の一部を反射して送信信号を送信する。具体的には、無線ＩＣタグ付き医療用金属製器具１０では、医療用金属製器具１２の金属部分１６が（Ｂ）を行う。これにより、無線ＩＣチップ１８は、受信信号を復調して受信データを取得する。応じて、無線ＩＣチップ１８は、医療用金属製器具１２の金属部分１６が受信した受信信号の搬送波を送信データで変調した送信信号を生成する。共振回路２０は、無線ＩＣチップ１８から供給される送信信号により共振する。共振回路２０は、共振周波数ｆ０と等しい周波数を有する送信信号を金属部分１６に供給する。この後、医療用金属製器具１２の金属部分１６が（Ａ）を行う。
【００５８】
ところで、無線ＩＣタグ付き物品とリーダライタとが磁界を介して通信を行う場合がある。このような磁界を介した通信では、ＨＦ周波数帯域に属する高周波信号が用いられる。そこで、コイルアンテナが無線ＩＣタグに接続される。そして、リーダライタとコイルアンテナとが磁界結合することにより、リーダライタと無線ＩＣタグ付き物品とが通信する。一方、無線ＩＣタグ付き医療用金属製器具１０は、電磁波を介して、リーダライタと通信する。すなわち、無線ＩＣタグ付き医療用金属製器具１０は、ＵＨＦ周波数帯域に属する高周波信号を介して、リーダライタと通信する。そこで、無線ＩＣタグ付き医療用金属製器具１０の金属部分１６は、磁界ではなく電磁波を放射する。金属部分１６は、コイルアンテナではない。従って、金属部分１６は、コイル形状を有していない。すなわち、金属部分１６は、スパイラル形状及びヘリックス形状を有していない。
【００５９】
また、金属部分１６は、共振周波数ｆ０の半波長の整数倍と等しい電気長を有していてもよいし、有していなくてもよい。金属部分１６が共振周波数ｆ０の半波長の整数倍と等しい電気長を有する場合、金属部分１６はダイポールアンテナとして機能する。これにより、金属部分１６において定在波が発生する。例えば、金属部分１６が共振周波数ｆ０の半波長と等しい電気長を有する場合、共振周波数ｆ０と金属部分１６の共振周波数とが一致する。
【００６０】
ただし、無線ＩＣタグ付き医療用金属製器具１０は、金属部分１６の電気長に関わらず、高周波信号を送信及び／又は受信できる点において優れている。すなわち、金属部分１６の電気長が共振周波数ｆ０の半波長の整数倍と等しくない場合であっても、無線ＩＣタグ付き医療用金属製器具１０は、高周波信号を送信及び／又は受信できる。無線ＩＣタグ付き医療用金属製器具１０がこのような利点を発揮するために、無線ＩＣタグ付き医療用金属製器具１０では、送信信号の周波数及び受信信号の周波数が共振回路２０の共振周波数ｆ０と等しい。更に、共振回路２０は、無線ＩＣチップ１８と金属部分１６とのインピーダンス整合を取る整合回路としても機能する。そのため、共振回路２０のインピーダンスは、無線ＩＣチップ１８のインピーダンスと等しい。更に、共振回路２０と金属部分１６とが電界結合、磁界結合又は電磁界結合している。そのため、共振回路２０と金属部分１６とが電気的に導通していない。よって、共振回路２０と金属部分１６とが比較的に弱く電界結合、磁界結合又は電磁界結合している。これにより、金属部分１６の電気長が変動しても、共振回路２０の共振周波数ｆ０及び共振回路２０のインピーダンスが変動しにくい。その結果、金属部分１６の電気長に関わらず、共振周波数ｆ０の高周波信号により、共振回路２０が共振するようになる。更に、金属部分１６の電気長に関わらず、無線ＩＣチップ１８と金属部分１６とのインピーダンス整合が取られやすくなる。よって、無線ＩＣタグ付き医療用金属製器具１０では、金属部分１６の電気長に関わらず、共振周波数ｆ０の周波数を有する高周波信号を送信及び／又は受信できる。なお、無線ＩＣタグ１４は、共振回路２０とは別に、整合回路を含んでいてもよい。ただし、共振回路２０の外には、整合回路が設けられていない。
【００６１】
上記のように金属部分１６の電気長が共振周波数ｆ０の半波長の整数倍と等しくない場合、金属部分１６では、共振周波数ｆ０での共振が殆ど発生していない。すなわち、共振周波数ｆ０の半波長と等しい長さの定在波は、金属部分１６において殆ど発生していない。この場合、共振周波数ｆ０は、金属部分１６において発生し得る定在波の周波数と異なっている。以上のような観点から、金属部分１６は、共振周波数ｆ０の半波長の整数倍と等しい電気長を有していなくてもよい。
【００６２】
なお、無線ＩＣタグ付き医療用金属製器具１０は、無線ＩＣタグ１４が露出しないように、無線ＩＣタグ１４を覆う樹脂部を、更に備えていてもよい。ただし、無線ＩＣタグ付き医療用金属製器具１０は、樹脂部を備えていなくてもよい。
【００６３】
［効果］
無線ＩＣタグ付き医療用金属製器具１０によれば、無線ＩＣタグ１４の取り付け方法の自由度を向上させることができる。より詳細には、無線ＩＣタグ付き医療用金属製器具１０では、中心軸線Ａｘの周囲を１周より多く周回するスパイラル形状又はヘリックス形状を有するインダクタＬを含む共振回路２０を含む無線ＩＣタグ１４が医療用金属製器具１２の金属部分１６に固定されることで、共振回路２０と医療用金属製器具１２の金属部分１６とが電界結合、磁界結合又は電磁界結合している。すなわち、無線ＩＣタグ付き医療用金属製器具１０では、インダクタＬのインダクタンス値が大きい。インダクタＬのインダクタンス値が大きくなると、共振回路２０のＱ値が小さくなる。従って、無線ＩＣタグ付き医療用金属製器具１０の通信帯域が広くなる。これにより、無線ＩＣタグ付き医療用金属製器具１０は、共振回路２０の共振周波数ｆ０から少しずれた周波数を有する高周波信号を送受信できる。無線ＩＣタグ１４の取り付け方法が変わることにより無線ＩＣタグ１４の共振回路２０の共振周波数ｆ０が変動しても、無線ＩＣタグ付き医療用金属製器具１０は、高周波信号を送信できる、及び／又は、高周波信号を受信できる。以上より、無線ＩＣタグ付き医療用金属製器具１０によれば、無線ＩＣタグ１４の取り付け方法の自由度を向上させることができる。
【００６４】
無線ＩＣタグ付き医療用金属製器具１０によれば、無線ＩＣタグ１４が医療用金属製器具１２の金属部分１６に樹脂接着剤により固定されてもよいので、無線ＩＣタグ１４を金属部分１６に固定する固定部材等が不要である。そのため、無線ＩＣタグ１４の金属部分１６への固定が容易になる。
【００６５】
無線ＩＣタグ付き医療用金属製器具１０によれば、無線ＩＣタグ１４は、医療用金属製器具１２の金属部分１６に溶接により固定されてもよいので、温度変化などの環境変化により、無線ＩＣタグ１４が金属部分１６から外れることが低減される。
【００６６】
無線ＩＣタグ付き医療用金属製器具１０では、無線ＩＣタグ１４が樹脂部に覆われてもよい。そのため、無線ＩＣタグ１４が樹脂部により保護される。
【００６７】
無線ＩＣタグ付き医療用金属製器具１０では、インダクタＬは、中心軸線Ａｘの周囲を２周以上にわたり周回するスパイラル形状又はヘリックス形状を有してもよい。この場合、インダクタＬのインダクタンス値がより大きくなる。その結果、共振回路２０のＱ値がより小さくなり、無線ＩＣタグ付き医療用金属製器具１０の通信帯域がより広くなる。
【００６８】
（第１の実施例）
［無線ＩＣタグ付き医療用金属製器具の構成］
次に、第１の実施例に係る無線ＩＣタグ付き医療用金属製器具１０ａについて図面を参照しながら説明する。図２は、第１の実施例に係る無線ＩＣタグ付き医療用金属製器具１０ａの外観斜視図である。図３は、図２のＢ−Ｂにおける断面図である。図４は、無線ＩＣタグ１４の透視図である。図５は、無線ＩＣタグ１４の等価回路図である。
【００６９】
以下では、無線ＩＣタグ付き医療用金属製器具１０ａにおける前後方向を前後方向と呼ぶ。前後方向は、無線ＩＣタグ付き医療用金属製器具１０ａである剪刃の刃が延びる方向である。無線ＩＣタグ付き医療用金属製器具１０ａにおける上下方向を上下方向と呼ぶ。上下方向は、無線ＩＣタグ付き医療用金属製器具１０ａである剪刃の２枚の刃が重なる方向である。無線ＩＣタグ付き医療用金属製器具１０ａにおける左右方向を左右方向と呼ぶ。無線ＩＣタグ付き医療用金属製器具１０ａにおける前方向を前方向と呼ぶ。無線ＩＣタグ付き医療用金属製器具１０ａにおける後方向を後方向と呼ぶ。無線ＩＣタグ付き医療用金属製器具１０ａにおける左方向を左方向と呼ぶ。無線ＩＣタグ付き医療用金属製器具１０ａにおける右方向を右方向と呼ぶ。無線ＩＣタグ付き医療用金属製器具１０ａにおける上方向を上方向と呼ぶ。無線ＩＣタグ付き医療用金属製器具１０ａにおける下方向を下方向と呼ぶ。
【００７０】
無線ＩＣタグ付き医療用金属製器具１０ａは、図２に示すように、医療用金属製器具１２及び無線ＩＣタグ１４を備えている。
【００７１】
医療用金属製器具１２は、剪刃である。医療用金属製器具１２は、金属部分１６を含んでいる。本実施形態では、医療用金属製器具１２は、金属部分１６のみを含んでいる。そのため、医療用金属製器具１２は、樹脂部分やゴム部分を含んでいない。
【００７２】
金属部分１６は、第１剪刃部材１４０、第２剪刃部材１４２及び螺子１４４を含んでいる。第１剪刃部材１４０は、第１支持部１４０ａ、第１本体部１４０ｂ、第１刃部１４０ｃ及び第１リング部１４０ｄを含んでいる。第２剪刃部材１４２は、第２支持部１４２ａ、第２本体部１４２ｂ、第２刃部１４２ｃ及び第２リング部１４２ｄを含んでいる。
【００７３】
第１支持部１４０ａは、前後方向に延びる平板形状を有する。第２支持部１４２ａは、前後方向に延びる平板形状を有する。第１支持部１４０ａは、第２支持部１４２ａの上に配置されている。
【００７４】
第１刃部１４０ｃは、第１支持部１４０ａの前端から前方向に延びる平板形状を有する。第１刃部１４０ｃの右辺には刃が設けられている。第２刃部１４２ｃは、第２支持部１４２ａの前端から前方向に延びる平板形状を有する。第２刃部１４２ｃの左辺には刃が設けられている。第１刃部１４０ｃは、第２刃部１４２ｃの上に配置されている。
【００７５】
第１本体部１４０ｂは、第１支持部１４０ａの後端から後方向Ｂに延びる棒形状を有する。第２本体部１４２ｂは、第２支持部１４２ａの後端から後方向Ｂに延びる棒形状を有する。第１本体部１４０ｂは、第２本体部１４２ｂの右に配置されている。
【００７６】
第１リング部１４０ｄは、第１本体部１４０ｂの後端に接続されている。第１リング部１４０ｄは、下方向に見たときに、円環形状を有している。第２リング部１４２ｄは、第２本体部１４２ｂの後端に接続されている。第２リング部１４２ｄは、下方向に見たときに、円環形状を有している。第１リング部１４０ｄは、第２リング部１４２ｄの右に配置されている。
【００７７】
螺子１４４は、第１支持部１４０ａ及び第２支持部１４２ａを上下方向に貫通している。これにより、第２剪刃部材１４２は、第１剪刃部材１４０に対して螺子１４４の中心軸線を中心に回転することができる。
【００７８】
以上のような医療用金属製器具１２は、剪刃であるので、日本医療機器名称におけるクラスＩに属する一般医療機器である。また、医療用金属製器具１２は、剪刃であるので、鋼製小物である。
【００７９】
無線ＩＣタグ１４は、直方体形状を有している。無線ＩＣタグ１４は、第１本体部１４０ｂの上面の後部に固定されている。無線ＩＣタグ１４は、図３に示すように、金属部分１６に樹脂接着剤２４により固定されている。具体的には、樹脂接着剤２４は、無線ＩＣタグ１４の底面及び金属部分１６の両方に接している。樹脂接着剤２４は、無線ＩＣタグ１４の底面全体に塗布されている。樹脂接着剤２４は、例えば、エポキシ樹脂により作製されている。
【００８０】
無線ＩＣタグ付き医療用金属製器具１０ａは、樹脂部２６を更に備えている。樹脂部２６は、図３に示すように、無線ＩＣタグ１４を覆っている。これにより、無線ＩＣタグ１４は、露出していない。樹脂部２６は、例えば、エポキシ樹脂により作製されている。
【００８１】
無線ＩＣタグ１４は、図４に示すように、無線ＩＣチップ１８、共振回路２０及び本体１５０を更に含んでいる。本体１５０は、直方体形状を有している。本体１５０は、本体下部１５２及び本体上部１５４を含んでいる。本体下部１５２は、例えば、積層体である。本体下部１５２は、直方体形状を有する。積層体は、左右方向に垂直な主面を有する複数の絶縁体層が左右方向に積層された構造を有する。ただし、積層体の積層方向は、上下方向であってもよいし、前後方向であってもよい。積層体は、例えば、ガラスエポキシ樹脂により作製されている。本体上部１５４は、例えば、樹脂部材である。本体上部１５４は、例えば、直方体形状を有する。樹脂部材は、例えば、エポキシ樹脂により作製されている。
【００８２】
無線ＩＣチップ１８は、半導体集積回路である。無線ＩＣチップ１８は、本体下部１５２の上面に実装されている。無線ＩＣチップ１８は、所定の情報を記憶する記憶部を含んでいる。また、無線ＩＣチップ１８は、記憶部が記憶している送信データで搬送波を変調して送信信号を生成する変調部を含んでいる。また、無線ＩＣチップ１８は、搬送波が受信データで変調された受信信号から受信データを復調する復調部を含んでいる。
【００８３】
共振回路２０は、コンデンサＣ及びインダクタＬを含んでいる。コンデンサＣは、チップ型コンデンサである。コンデンサＣは、本体下部１５２の上面に実装されている。インダクタＬは、本体下部１５２内に設けられている。インダクタＬは、螺旋形状を有している。インダクタＬは、左右方向に延びる中心軸線Ａｘの周囲を２周以上にわたり周回するヘリックス形状を有している。インダクタＬは、複数の導体層及び複数のビアホール導体を含んでいる。具体的には、複数の導体層はそれぞれ、複数の絶縁体層の主面上に形成されている。複数の導体層はそれぞれ、右方向に見たときに、中心軸線Ａｘの周りを周回している。複数のビアホール導体はそれぞれ、複数の絶縁体層を左右方向に貫通している。複数のビアホール導体はそれぞれ、左右方向に隣り合う導体層の端部同士を接続している。
【００８４】
コンデンサＣ及びインダクタＬは、図５に示すように、配線（図４には図示せず）により、無線ＩＣチップ１８に並列接続されている。そのため、共振回路２０は、ＬＣ並列共振器である。
【００８５】
なお、無線ＩＣタグ１４の金属部分１６への取り付け位置は、図２に示した位置に限らない。無線ＩＣタグ１４は、第１支持部１４０ａ、第１本体部１４０ｂ、第１刃部１４０ｃ、第１リング部１４０ｄ、第２支持部１４２ａ、第２本体部１４２ｂ、第２刃部１４２ｃ及び第２リング部１４２ｄのいずれに取り付けられても構わない。
【００８６】
次に、無線ＩＣタグ付き医療用金属製器具１０ａが送信信号を送信するときの動作について説明する。ただし、無線ＩＣタグ付き医療用金属製器具１０ａの動作は、無線ＩＣタグ付き医療用金属製器具１０の動作と同じである。そこで、金属部分１６及び共振回路２０の動作に着目して説明する。
【００８７】
共振回路２０は、無線ＩＣチップ１８が生成する送信信号により共振する。これにより、インダクタＬは、左右方向に延びる磁束を発生する。この磁束は、後方向に見たときに、金属部分１６の周囲を周回する。従って、共振回路２０と金属部分１６とは、磁界結合している。これにより、金属部分１６には、前後方向に電流が流れる。ただし、磁束の方向は、共振周波数ｆ０で変動するので、電流の方向も、共振周波数ｆ０で変動する。その結果、電磁誘導により金属部分１６の全体から電磁波が放射される。
【００８８】
次に、無線ＩＣタグ付き医療用金属製器具１０ａが受信信号を受信するときの動作について説明する。ただし、無線ＩＣタグ付き医療用金属製器具１０ａの動作は、無線ＩＣタグ付き医療用金属製器具１０の動作と同じである。そこで、金属部分１６及び共振回路２０の動作に着目して説明する。
【００８９】
金属部分１６は、共振周波数ｆ０で磁界の方向が変動する磁界を受信する。これにより、金属部分１６には、前後方向に電流が流れる。ただし、金属部分１６が受信する磁界の方向は、共振周波数ｆ０で変動するので、金属部分１６に流れる電流の方向も、共振周波数ｆ０で変動する。その結果、後方向に見たときに、電磁誘導により金属部分１６の周囲を周回する磁界が発生する。この磁界は、インダクタＬ内を左右方向に通過する。また、インダクタＬ内を通過する磁界の方向は、共振周波数ｆ０で変動する。これにより、共振回路２０は、インダクタＬ内を左右方向に通過する磁界により共振して、共振周波数ｆ０と等しい周波数を有する受信信号を無線ＩＣタグ１４に供給する。
【００９０】
［効果］
無線ＩＣタグ付き医療用金属製器具１０ａによれば、無線ＩＣタグ付き医療用金属製器具１０と同じ理由により、無線ＩＣタグ１４の取り付け方法の自由度を向上させることができる。また、無線ＩＣタグ付き医療用金属製器具１０ａによれば、無線ＩＣタグ付き医療用金属製器具１０と同じ理由により、無線ＩＣタグ１４の金属部分１６への固定が容易になる。無線ＩＣタグ付き医療用金属製器具１０ａによれば、無線ＩＣタグ付き医療用金属製器具１０と同じ理由により、無線ＩＣタグ１４が樹脂部２６により保護される。無線ＩＣタグ付き医療用金属製器具１０ａによれば、無線ＩＣタグ付き医療用金属製器具１０と同じ理由により、無線ＩＣタグ付き医療用金属製器具１０ａの通信帯域がより広くなる。
【００９１】
（第２の実施例）
次に、第２の実施例に係る無線ＩＣタグ付き医療用金属製器具１０ｂについて図面を参照しながら説明する。図６は、第２の変形例に係る無線ＩＣタグ付き医療用金属製器具１０ｂの無線ＩＣタグ１４の外観斜視図である。
【００９２】
無線ＩＣタグ付き医療用金属製器具１０ｂは、無線ＩＣタグ１４の固定方法において、無線ＩＣタグ付き医療用金属製器具１０ａと相違する。より詳細には、無線ＩＣタグ付き医療用金属製器具１０ｂでは、無線ＩＣタグ１４は、金属部分１６に溶接により固定されている。無線ＩＣタグ１４は、第１剪刃部材１４０又は第２剪刃部材１４２に溶接により固定されている。無線ＩＣタグ付き医療用金属製器具１０ｂは、固定部材２００ａ，２００ｂを備えている。そして、無線ＩＣタグ１４は、第１剪刃部材１４０又は第２剪刃部材１４２に溶接されている固定部材２００ａ，２００ｂを介して、第１剪刃部材１４０又は第２剪刃部材１４２に固定されている。本実施例では、無線ＩＣタグ１４は、第１剪刃部材１４０に溶接されている固定部材２００ａ，２００ｂを介して、第１剪刃部材１４０に固定されている。
【００９３】
固定部材２００ａ，２００ｂは、金属部材である。固定部材２００ａは、無線ＩＣタグ１４の本体１５０の上面及び前面に接している。そして、固定部材２００ａの前端部は、溶接部２０２ａを介して第１剪刃部材１４０に固定されている。従って、固定部材２００ａが第１剪刃部材１４０に溶接されている溶接部２０２ａは、無線ＩＣタグ１４の前に位置している。
【００９４】
固定部材２００ｂは、固定部材２００ａと同じ構造を有している。具体的には、固定部材２００ｂは、無線ＩＣタグ１４の本体１５０の上面及び後面に接している。そして、固定部材２００ｂの後端部は、溶接部２０２ｂを介して第１剪刃部材１４０に固定されている。従って、固定部材２００ｂが第１剪刃部材１４０に溶接されている溶接部２０２ｂは、無線ＩＣタグ１４の後に位置している。
【００９５】
なお、無線ＩＣタグ１４は、樹脂部（図６では図示せず）により覆われていてもよい。
【００９６】
なお、無線ＩＣタグ１４は、固定部材２００ａ，２００ｂを介して、第２剪刃部材１４２に固定されてもよい。この場合、固定部材２００ａが第２剪刃部材１４２に溶接されている溶接部２０２ａは、無線ＩＣタグ１４の前に位置する。固定部材２００ｂが第２剪刃部材１４２に溶接されている溶接部２０２ｂは、無線ＩＣタグ１４の後に位置する。
【００９７】
無線ＩＣタグ付き医療用金属製器具１０ｂによれば、無線ＩＣタグ付き医療用金属製器具１０，１０ａと同じ理由により、無線ＩＣタグ１４の取り付け方法の自由度を向上させることができる。無線ＩＣタグ付き医療用金属製器具１０ｂによれば、無線ＩＣタグ付き医療用金属製器具１０と同じ理由により、温度変化などの環境変化により、無線ＩＣタグ１４が金属部分１６から外れることが低減される。無線ＩＣタグ付き医療用金属製器具１０ｂによれば、無線ＩＣタグ付き医療用金属製器具１０，１０ａと同じ理由により、無線ＩＣタグ１４が樹脂部により保護される。
【００９８】
（その他の実施形態）
本明細書において記載と図示の少なくとも一方がなされた実施形態及び実施例は、本開示の理解を容易にするためのものであって、本開示の思想を限定するものではない。上記の実施形態及び実施例は、その趣旨を逸脱することなく変更・改良され得る。
【００９９】
当該趣旨は、本明細書に開示された実施形態及び実施例に基づいて当業者によって認識されうる、均等な要素、修正、削除、組み合わせ（例えば、実施形態及び実施例に跨る特徴の組み合わせ）、改良、変更を包含する。特許請求の範囲における限定事項は当該特許請求の範囲で用いられた用語に基づいて広く解釈されるべきであり、本明細書あるいは本願のプロセキューション中に記載された実施形態及び実施例に限定されるべきではない。
【０１００】
そのような実施形態及び実施例は非排他的であると解釈されるべきである。例えば、本明細書において、「好ましくは」、「よい」という用語は非排他的なものであって、「好ましいがこれに限定されるものではない」、「よいがこれに限定されるものではない」ということを意味する。
【符号の説明】
【０１０１】
１０，１０ａ，１０ｂ：無線ＩＣタグ付き医療用金属製器具
１２：医療用金属製器具
１４：無線ＩＣタグ
１６：金属部分
１８：無線ＩＣチップ
２０：共振回路
２４：樹脂接着剤
２６：樹脂部
１４０：第１剪刃部材
１４０ａ：第１支持部
１４０ｂ：第１本体部
１４０ｃ：第１刃部
１４０ｄ：第１リング部
１４２：第２剪刃部材
１４２ａ：第２支持部
１４２ｂ：第２本体部
１４２ｃ：第２刃部
１４２ｄ：第２リング部
１４４：螺子
１５０：本体
１５２：本体下部
１５４：本体上部
２００ａ，２００ｂ：固定部材
２０２ａ，２０２ｂ：溶接部
Ａｘ：中心軸線
Ｃ：コンデンサ
Ｌ：インダクタ
【要約】
本発明に係る無線ＩＣタグ付き医療用金属製器具は、金属部分を含んでいる医療用金属製器具であって、中心軸線の周囲を１周より多く周回するスパイラル形状又はヘリックス形状を有するインダクタを含む共振回路を含む無線ＩＣタグが金属部分に固定されることで、共振回路と金属部分とが電界結合、磁界結合又は電磁界結合して、金属部分が（Ａ）及び／又は（Ｂ）を行い、（Ａ）金属部分は、所定の共振周波数と等しい周波数を有し、かつ、共振回路から供給される送信信号を電磁波として放射する、（Ｂ）金属部分は、所定の共振周波数と等しい周波数を有する受信信号を電磁波として受信し、かつ、共振回路に受信信号を供給する、医療用金属製器具を、備える。【図１】
0006912022.tif 000002
【図２】
0006912022.tif 000003
【図３】
0006912022.tif 000004
【図４】
0006912022.tif 000005
【図５】
0006912022.tif 000006
【図６】
0006912022.tif 000007